(57)【要約】所望の向きでウッドクラブなどを懸架させることができ、転倒・転落を防止することを目的としたゴルフクラブ用支持具を提供する。ヘッド部の基端側がＲ状に形成されたゴルフクラブを支持するゴルフクラブ用支持具において、柱状に形成され、その周面に開口１０が形成され、その開口から内部方向に向かって案内部１２が形成され、少なくともその上面には、ヘッド部のソール面が上を向いた状態でゴルフクラブが案内部の最奥部１２Ａに位置する際に、ゴルフクラブのヘッド部のフェイス面３２Ａを支持する第１支持部１６と、ゴルフクラブのヘッド部の基端側側面の斜め外側上方を向いた面３２Ｂを支持する第２支持部１８と、その上端によってゴルフクラブのヘッド部の上面３２Ｄを支持する第３支持部２０と、が形成され、第１の支持部及び第２の支持部の頂部の位置は、第３支持部の頂部よりも高いことを特徴とする。
2009113336.tif 000002
【特許請求の範囲】
【請求項１】
ヘッド部の基端側がＲ状に形成されたゴルフクラブを支持するゴルフクラブ用支持具において、
柱状に形成され、その周面に上端から下端に亘って開口が形成され、その開口から内部方向に向かってゴルフクラブのシャフトを案内可能な案内部が形成され、
少なくともその上面には、ヘッド部のソール面が上を向いた状態でゴルフクラブが前記案内部の最奥部に位置する際に、ゴルフクラブのヘッド部のフェイス面を支持する第１支持部と、ゴルフクラブのヘッド部の基端側側面の斜め外側上方を向いた面を支持する第２支持部と、その上端によってゴルフクラブのヘッド部の上面を支持する第３支持部と、が形成され、
前記第１の支持部及び第２の支持部の頂部の位置は、第３支持部の頂部よりも高いことを特徴とするゴルフクラブ用支持具。
【請求項２】
前記第１支持部の上端内側には、斜め内側上方を向いたテーパ面が形成され、該テーパ面によって前記フェイス面を支持するよう構成されていることを特徴とする請求項１記載のゴルフクラブ用支持具
【請求項３】
前記ゴルフクラブ用支持具の下面には、ヘッド部のソール面が上を向いた状態でゴルフクラブが前記案内部の最奥部に位置する際に、ゴルフクラブのヘッド部のフェイス面を支持する第４支持部と、ゴルフクラブのヘッド部の基端側側面の斜め外側上方を向いた面を支持する第５支持部と、その上端によってゴルフクラブのヘッド部の上面を支持する第６支持部と、が形成され、前記第４支持部、第５支持部及び第６支持部は、前記第１支持部、第２支持部及び第３支持部と対称となる位置にそれぞれが形成されていることを特徴とする請求項１又は２記載のゴルフクラブ用支持具。
【請求項４】
前記ゴルフクラブ用支持具は、上面及び下面それぞれを上方に向けて支持できるように構成されていることを特徴とする請求項３記載のゴルフクラブ用支持具。
【請求項５】
前記上面には、少なくとも３本の支持棒が上方に突出しており、
前記少なくとも３本の支持棒のうち、第１の支持棒が前記第１支持部として機能し、第２の支持棒が前記第２支持部として機能し、第１の支持棒及び第２の支持棒以外の支持棒が前記第３支持部として機能することを特徴とする請求項１又は２記載のゴルフクラブ用支持具。
【請求項６】
前記第１の支持棒及び第２の支持棒は、高さが異なることを特徴とする請求項５記載のゴルフクラブ用支持具。
【請求項７】
前記第１の支持棒及び第２の支持棒は、これら以外の支持棒より前記開口の両縁それぞれの近傍に配置されていることを特徴とする請求項５又は６記載のゴルフクラブ用支持具。
【請求項８】
前記少なくとも３本の支持棒の先端は、Ｒ状又は尖状に形成されていることを特徴とする請求項５乃至７いずれか記載のゴルフクラブ用支持具。
【請求項９】
上面には、案内部の形状に沿った縁が上方に突出しており、
前記縁は、前記第１支持部として機能する第１の支持部分と、前記第２支持部として機能する第２の支持部分と、前記第３の支持部として機能する第３の支持部分と、を有することを特徴とする請求項１又は２記載のゴルフクラブ用支持具。
【請求項１０】
前記第１の支持部分及び第２の支持部分は、第３の支持部分より前記開口の両縁それぞれの近傍に配置されていることを特徴とする請求項９記載のゴルフクラブ用支持具。
【発明の詳細な説明】
【技術分野】
【０００１】
本発明は、ウッドクラブやユーティリティーなど基端側がＲ状に形成されたゴルフクラブを店舗などで展示するために用いられるゴルフクラブ用支持具に関する。
【背景技術】
【０００２】
従来から、ゴルフショップなどの店舗において、ウッドクラブやアイアンクラブなどが展示棚などによって展示されている。ウッドクラブやユーティリティーなど基端側がＲ状に形成されたゴルフクラブを展示する場合、ヘッド部のソール面（底面）を上方に向けて支持具に引っ掛けて懸架させることによって行われている。このようなゴルフクラブ用支持具として、例えば特許文献１に記載されたものがある。【０００３】
この特許文献１に記載されたゴルフクラブ用支持具は、ウッドクラブなどのヘッド部の上面（ソール面の反対側の面）を面として受けるように凹部状に形成された支持部を有し、その支持部にウッドクラブのヘッド部を懸架させることによって、ウッドクラブなどを支持するように構成されている。【０００４】
【特許文献１】特開２００６−２２３８６７号公報
【発明の開示】
【発明が解決しようとする課題】
【０００５】
しかし、客がウッドクラブなどを手にとって見た後に、ウッドクラブなどのヘッド部を所望の向きと異なる向きを向いた状態で支持部に戻す場合があるところ、特許文献１に記載されたゴルフクラブ用支持具は、ウッドクラブなどのヘッド部の上面を面として受けるように構成されているだけなので、その異なる向きを向いた状態で懸架されてしまうという問題がある。【０００６】
そこで、本発明は、客がウッドクラブなどを所望の向きと異なる向きを向いた状態で支持部に戻した場合であっても、所望の向きでウッドクラブなどを懸架させることが可能なゴルフクラブ用支持具を提供することを目的とする。
【課題を解決するための手段】
【０００７】
以上の目的を達成するため、本発明は、ヘッド部の基端側がＲ状に形成されたゴルフクラブを支持するゴルフクラブ用支持具において、柱状に形成され、その周面に上端から下端に亘って開口が形成され、その開口から内部方向に向かってゴルフクラブのシャフトを案内可能な案内部が形成され、少なくともその上面には、ヘッド部のソール面が上を向いた状態でゴルフクラブが前記案内部の最奥部に位置する際に、ゴルフクラブのヘッド部のフェイス面を支持する第１支持部と、ゴルフクラブのヘッド部の基端側側面の斜め外側上方を向いた面を支持する第２支持部と、その上端によってゴルフクラブのヘッド部の上面を支持する第３支持部と、が形成され、前記第１の支持部及び第２の支持部の頂部の位置は、第３支持部の頂部よりも高いことを特徴とする。本発明に係るゴルフクラブ用支持具において、ウッドクラブの上下の意味は、通常の使用状態、すなわちヘッド部のソール面が下を向いた状態においての上又は下を意味する。よって、ウッドクラブは、ヘッド部のソール面が上を向いた状態で支持されるので、例えば、ヘッド部の基端側側面の斜め上方とは、支持された状態においては下方を意味する。【０００８】
以上のように、本発明に係るゴルフクラブ用支持具によれば、第３支持部によってウッドクラブのヘッド部の上面を支持するとともに、第１支持部によって斜め外側上方に向いた傾斜を有するウッドクラブのヘッド部のフェイス面を支持し、さらに第２支持部によってゴルフクラブのヘッド部の基端側側面の斜め外側上方を向いた面を支持することによって、バランス良くウッドクラブを懸架した状態で支持することができる。一方、このようにヘッド部のフェイス面と基端側側面を支持する部分の頂点を上面を支持する部分よりも高くすることによって、例えば、ヘッド部の上面を第１支持部又は第２支持部の上端に置いたとしても、その第１支持部又は第２支持部の接する位置がヘッド部の上面の最頂部よりも外側であれば、ヘッド部は、第３支持部の方に滑り落ち、第３支持部によって支持される。このように、本発明に係るゴルフクラブ用支持具は、ヘッド部のフェイス面が斜め外側上方を向いており、ヘッド部の基端側側面が基端方向に突出するＲ状に形成されている点に着目し、ヘッド部を上としてウッドクラブを懸架した際にこれらをヘッド部の上面よりも高い位置で支持することによって、ヘッド部が所望と異なる方向を向いて懸架された場合であっても、ヘッド部の上面を支持する部分にヘッド部の上面が滑り落ちるように構成したものであって、第１支持部、第２支持部及び第３支持部は、それぞれの箇所を支持するとともに、ヘッド部を所望の位置に向ける機能を有する。【０００９】
本発明に係るゴルフクラブ用支持具において、前記第１支持部の上端内側には、斜め内側上方を向いたテーパ面が形成され、該テーパ面によって前記フェイス面を支持するよう構成されていることが好ましく、このようなテーパ面を設けることによって、よりバランス良くウッドクラブを懸架した状態で支持することができる。ここで、第１支持部の内側とは、内面だけでなく、例えば第１支持部の内面と側面の辺を面取してテーパ面を形成する場合も含まれ、支持するヘッド部のフェイス面によってテーパ面に角度を付けることが好ましい。【００１０】
また、本発明に係るゴルフクラブ用支持具において、前記ゴルフクラブ用支持具の下面には、ヘッド部のソール面が上を向いた状態でゴルフクラブが前記案内部の最奥部に位置する際に、ゴルフクラブのヘッド部のフェイス面を支持する第４支持部と、ゴルフクラブのヘッド部の基端側側面の斜め外側上方を向いた面を支持する第５支持部と、その上端によってゴルフクラブのヘッド部の上面を支持する第６支持部と、が形成され、前記第４支持部、第５支持部及び第６支持部は、前記第１支持部、第２支持部及び第３支持部と対称となる位置にそれぞれが形成されていることが好ましく、この場合、前記ゴルフクラブ用支持具は、上面又は下面を上方に向けて支持されるように構成されていることが好ましい。このようにゴルフクラブ用支持具の下面に、第１支持部、第２支持部及び第３支持部それぞれに対称な第４支持部、第５支持部及び第６支持部を設けることによって、上面側を右利き用のウッドクラブ用支持具とし、下面側を左利き用のウッドクラブ用支持具とすることができる。なお、対称となる位置とは完全に対称である必要はなく、このような効果を奏する位置であれば、多少ずれていても良い。【００１１】
さらに、本発明に係るゴルフクラブ用支持具は、前記上面には、少なくとも３本の支持棒が上方に突出しており、 前記少なくとも３本の支持棒のうち、第１の支持棒が前記第１支持部として機能し、第２の支持棒が前記第２支持部として機能し、第１の支持棒及び第２の支持棒以外の支持棒が前記第３支持部として機能することが好ましく、この場合、前記第１の支持棒及び第２の支持棒は、高さが異なることが好ましい。また、前記第１の支持棒及び第２の支持棒は、これら以外の支持棒より前記開口の両縁それぞれの近傍に配置されていることが好ましく、このように約水平方向からヘッド部を支持する第１支持棒や第２支持棒を他の支持棒よりも開口の両縁近傍に配置することによって、開口方向への力がヘッド部に加わったとしても、ゴルフクラブが支持具から外れることを防止できる。さらに、前記少なくとも３本の支持棒の先端は、Ｒ状又は尖状に形成されていることが好ましい。第１の支持棒と第２の支持棒の高さを異にすることによって、第１の支持棒と第２の支持棒の上にウッドクラブのヘッド部を載置されるのを防止することができる。【００１２】
またさらに、本発明に係るゴルフクラブ用支持具は、上面には、案内部の形状に沿った縁が上方に突出しており、前記縁は、前記第１支持部として機能する第１の支持部分と、前記第２支持部として機能する第２の支持部分と、前記第３の支持部として機能する第３の支持部分と、を有することが好ましく、この場合、前記第１の支持部分及び第２の支持部分は、第３の支持部分より前記開口の両縁それぞれの近傍に配置されていることが好ましい。
【発明の効果】
【００１３】
以上のように、本発明によれば、客がウッドクラブを所望の向きと異なる向きを向いた状態で支持部に戻した場合であっても、所望の向きでウッドクラブを懸架させることが可能なゴルフクラブ用支持具を提供することができる。
【発明を実施するための最良の形態】
【００１４】
次に、本発明に係るゴルフクラブ用支持具の第１実施例について説明する。図１は、第１実施例に係るウッドクラブ用支持具の斜視図であり、図２は、その平面図であり、図３は、その正面図であり、図４は、その右側面図であり、図５は、その左側面図である。【００１５】
第１実施例に係るウッドクラブ用支持具は、柱状に形成された支持具本体１４と、支持具本体１４の上面から上方に突出する３本の第１の支持棒１６、第２の支持棒１８及び第３の支持棒２０と、支持具本体１４の底面から下方に突出する３本の第４の支持棒２２、第５の支持棒２４及び第６の支持棒２６と、を備えている。支持具本体１４は、その周面の上端から下端に亘って開口１０が形成されており、その開口１０から内部方向に向かって、ゴルフクラブのシャフトを案内可能な案内部１２が形成されている。【００１６】
第１実施例に係るウッドクラブ支持具において、第１の支持棒１６は、開口１０の一方の縁１０Ａの上面から上方に突出しており、第２の支持棒１８は、案内部１２の最奥部１２Ａ近傍の開口１０の他方の縁１０Ｂ側の上面から突出しており、第３の支持棒２０は、第１の支持棒１６の案内部１２の方向の延長線を軸として第２の支持棒１８と反対側の位置から突出している。第１の支持棒１６は、第２の支持棒１８より高く、第２の支持棒１８は、第３の支持棒２０より高く形成されている。また、第１の支持棒１６及び第２の支持棒１８の上端の内面と左側面に接する辺は、面取されて斜め内側上方を向いたテーパ面１６Ａが形成されている。そして、図６及び７に示すように、ウッドクラブ２８のシャフト３０が案内部１２に挿入させ、シャフト３０が案内部１２の最奥部１２Ａに位置させた際に、第１の支持棒１６のテーパ面１６Ａがウッドクラブ２８のヘッド部３２のフェイス面３２Ａを支持し、第２の支持棒１８の内面１８Ａがヘッド部３２の基端側側面の斜め外側上方を向いた面３２Ｂを支持し、第３の支持棒２０の上端がヘッド部３２の上面（ソール面３２Ｃの反対側の面）３２Ｄを支持するように、これら第１の支持棒１６、第２の支持棒１８及び第３の支持棒２０は、それぞれ配置されている。【００１７】
第１の支持棒１６、第２の支持棒１８及び第３の支持棒２０は、このように長さ及び配置を構成することによって、図８に示すように、例えばウッドクラブ２８のシャフト３０を案内部１２の最奥部１２Ａに位置され、ヘッド部３２の上面３２Ｄを第１の支持棒１６の上端に置いたとしても、その第１の支持棒１６とヘッド部３２の接する位置がヘッド部３２の上面３２Ｄの最頂部よりも外側であれば、第１の支持棒１６の上端が第３の支持棒２０の上端よりも高い位置にあるので、ヘッド部３２は、第３の支持棒２０の方（図８の矢印方向）に滑り落ち、図９に示すように第３の支持棒２０によって支持される。また、図１０に示すように、例えばウッドクラブ２８のシャフト３０を案内部１２の最奥部１２Ａに位置され、ヘッド部３２の上面３２Ｄを第２の支持棒１８の上端に置いたとしても、その第２の支持棒１６とヘッド部３２の接する位置がヘッド部３２の上面３２Ｄの最頂部よりも外側であれば、第２の支持棒１８の上端が第３の支持棒２０の上端よりも高い位置にあるので、ヘッド部３２は、第３の支持棒２０の方（図１０の矢印方向）に滑り落ち、第３の支持棒２０によって支持される。第１実施例に係るウッドクラブ支持具において、これら第１乃至第３の支持棒１６、１８、２０の上端は、いずれもＲ状に形成されており、このように上端をＲ状に形成することによって、上述のヘッド部３２が第３の支持棒２０に滑り落ちる動作を容易に行うことができる。【００１８】
また、第４の支持棒２２、第５の支持棒２４及び第６の支持棒２６は、それぞれ支持具本体１４の下面において第１の支持棒１６、第２の支持棒１８及び第３の支持棒２０と同様の高さに形成され、同様の位置に配置されており、支持具１４の下面を上側に向けた場合に、左利き用のウッドクラブについて第１の支持棒１６、第２の支持棒１８及び第３の支持棒２０と同様に支持することができる。【００１９】
支持具本体１４の開口１０と反対側の面１４Ｃに隣接する両面１４Ｄ、１４Ｅの面１４Ｃ近傍には、両面１４Ｄ、１４Ｅを貫通する縦長矩形状の孔３４が形成されており、図６に示すように、陳列台などから水平方向に延びる板状の支持バー３６がこの孔３４に挿入されることによって、第１実施例に係るゴルフクラブ用支持具が陳列台などに設置されるよう構成されている。このように、孔３４は、縦長矩形状に形成され、支持バー３６は、板状に形成されているので、第４の支持棒２２、第５の支持棒２４及び第６の支持棒２６を上方に向けて設置することができ、これにより左利き用のウッドクラブを支持することができる。【００２０】
また、第１実施例に係るゴルフクラブ用支持具において、第１の支持棒１６及び第４の支持棒２２、並びに開口１０の一方の縁１０Ａの外側は、連続して一つの面を形成し、その面が開口１０側に傾いて形成されている。このように、外側の面が連続して一つ形成するとともに、開口１０側に傾けることによって、図１に示すように会社名やそのロゴなどを提示することを可能とする。【００２１】
次に、本発明に係るゴルフクラブ用支持具の第２実施例について説明する。図１１は、第２実施例に係るウッドクラブ用支持具の斜視図であり、図１２は、その平面図であり、図１３は、その正面図であり、図１４は、その右側面図であり、図１５は、その左側面図である。【００２２】
第２実施例に係るウッドクラブ用支持具は、実施例１と同様に開口４０及び案内部４２を有する柱状に形成された支持具本体４４と、支持具本体４４の上面から上方に突出し、案内部の形状に沿って形成された第１縁４６と、支持具本体４４の下面から下方に突出し、案内部の形状に沿って形成された第２縁４８と、を備えている。【００２３】
第２実施例に係るウッドクラブ支持具において、図１６に示すように第１縁４６は、ゴルフのウッドクラブのシャフトが案内部の最奥部に位置する際に、第１縁４６の開口４０の右側の縁４０Ａに連続する部分である第１の支持部分４６Ａが、ゴルフのウッドクラブのヘッド部のフェイス面を支持し、第１縁４６の開口４０の左側の縁４０Ｂに連続する部分である第２の支持部分４６Ｂが、ゴルフのウッドクラブのヘッド部の基端側側面を支持し、第１縁４６のこれら以外の部分である第３の支持部分４６Ｃが、ゴルフのウッドクラブのヘッド部の上面を支持するように形成され、第２実施例に係るウッドクラブ用支持具において、第１の支持部分４６Ａは、第２の支持部分４６Ｂよりも高く、第２の支持部分４６Ｂは、第３の支持部分４６Ｃよりも高く形成されており、第１支持部分４６Ａの上端内側には、斜め内側上方を向いたテーパ面が形成されている。【００２４】
このように第１縁４６を形成することによって、例えばウッドクラブ２８のシャフト３０を案内部４２の最奥部４２Ａに位置され、ヘッド部３２の上面３２Ｄを第１の支持部分４６Ａの上端に置いたとしても、その第１の支持部分４６Ａとヘッド部３２の接する位置がヘッド部３２の上面３２Ｄの最頂部よりも外側であれば、第１の支持部分４６Ａの上端が第３の支持部分４６Ｃの上端よりも高い位置にあるので、ヘッド部３２は、第３の支持部分４６Ｃの方に滑り落ち、第３の支持部分４６Ｃによって支持される。また、例えばウッドクラブ２８のシャフト３０を案内部１２の最奥部１２Ａに位置され、ヘッド部３２の上面３２Ｄを第２の支持部分４６Ｂの上端に置いたとしても、その第２の支持部分４６Ｂとヘッド部３２の接する位置がヘッド部３２の上面３２Ｄの最頂部よりも外側であれば、第２の支持部分４６Ｂの上端が第３の支持部分４６Ｃの上端よりも高い位置にあるので、ヘッド部３２は、第３の支持部分４６Ｃの方に滑り落ち、第３の支持部分４６Ｃによって支持される。【００２５】
また、第１縁４６の第１の支持部分４６Ａ、第２の支持部分４６Ｂ及び第３の支持部分４６Ｃと対称となる第２縁４６には、それぞれ同様に第１の支持部分４８Ａ、第２の支持部分４８Ｂ及び第３の支持部分４８Ｃが形成され、支持具４４の下面を上側に向けた場合に、左利き用のウッドクラブについて、第２縁４８の第１の支持部分４８Ａ、第２の支持部分４８Ｂ及び第３の支持部分４８Ｃは、第１縁４６のそれらと同様に支持することができる。
【図面の簡単な説明】
【００２６】
【図１】本発明に係るゴルフクラブ用支持具の第１実施例の斜視図である。
【図２】第１実施例に係るゴルフクラブ用支持具の平面図である。
【図３】第１実施例に係るゴルフクラブ用支持具の正面図である。
【図４】第１実施例に係るゴルフクラブ用支持具の右側面図である。
【図５】第１実施例に係るゴルフクラブ用支持具の左側面図である。
【図６】第１実施例に係るゴルフクラブ用支持具のウッドクラブを支持した状態の図１に対応する図である。
【図７】第１実施例に係るゴルフクラブ用支持具のウッドクラブを支持した状態の図３に対応する図である。
【図８】ウッドクラブのヘッド部を第１実施例に係るゴルフクラブ用支持具の第１の支持棒の上端に置いた状態を示す斜視図である。
【図９】ウッドクラブのヘッド部が第１実施例に係るゴルフクラブ用支持具の第３の支持棒の上端に位置する状態を示す斜視図である。
【図１０】ウッドクラブのヘッド部を第１実施例に係るゴルフクラブ用支持具の第２の支持棒の上端に置いた状態を示す斜視図である。
【図１１】本発明に係るゴルフクラブ用支持具の第２実施例の斜視図である。
【図１２】第２実施例に係るゴルフクラブ用支持具の平面図である。
【図１３】第２実施例に係るゴルフクラブ用支持具の正面図である。
【図１４】第２実施例に係るゴルフクラブ用支持具の右側面図である。
【図１５】第２実施例に係るゴルフクラブ用支持具の左側面図である。
【図１６】第２実施例に係るゴルフクラブ用支持具のウッドクラブを支持した状態の図１に対応する図である。
【符号の説明】
【００２７】
１０   開口
１２   案内部
１６   第１の支持棒
１８   第２の支持棒
２０   第３の支持棒
【図１】
2009113336.tif 000003
【図２】
2009113336.tif 000004
【図３】
2009113336.tif 000005
【図４】
2009113336.tif 000006
【図５】
2009113336.tif 000007
【図６】
2009113336.tif 000008
【図７】
2009113336.tif 000009
【図８】
2009113336.tif 000010
【図９】
2009113336.tif 000011
【図１０】
2009113336.tif 000012
【図１１】
2009113336.tif 000013
【図１２】
2009113336.tif 000014
【図１３】
2009113336.tif 000015
【図１４】
2009113336.tif 000016
【図１５】
2009113336.tif 000017
【図１６】
2009113336.tif 000018
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
ヘッド部の基端側がＲ状に形成されたゴルフクラブを支持するゴルフクラブ用支持具において、
柱状に形成され、その周面に上端から下端に亘って開口が形成され、その開口から内部方向に向かってゴルフクラブのシャフトを案内可能な案内部が形成され、
少なくともその上面には、ヘッド部のソール面が上を向いた状態でゴルフクラブが前記案内部の最奥部に位置する際に、ゴルフクラブのヘッド部のフェイス面を支持する第１支持部と、ゴルフクラブのヘッド部の基端側側面の斜め外側上方を向いた面を支持する第２支持部と、その上端によってゴルフクラブのヘッド部の上面を支持する第３支持部と、が形成され、
前記上面には、少なくとも３本の支持棒が上方に突出しており、
前記少なくとも３本の支持棒のうち、第１の支持棒が前記第１支持部として機能し、第２の支持棒が前記第２支持部として機能し、第１の支持棒及び第２の支持棒以外の支持棒が前記第３支持部として機能し、
前記第１の支持部及び第２の支持部の頂部の位置は、第３支持部の頂部よりも高いことを特徴とするゴルフクラブ用支持具。
【請求項２】
前記第１支持部の上端内側には、斜め内側上方を向いたテーパ面が形成され、該テーパ面によって前記フェイス面を支持するよう構成されていることを特徴とする請求項１記載のゴルフクラブ用支持具
【請求項３】
前記ゴルフクラブ用支持具の下面には、ヘッド部のソール面が上を向いた状態でゴルフクラブが前記案内部の最奥部に位置する際に、ゴルフクラブのヘッド部のフェイス面を支持する第４支持部と、ゴルフクラブのヘッド部の基端側側面の斜め外側上方を向いた面を支持する第５支持部と、その上端によってゴルフクラブのヘッド部の上面を支持する第６支持部と、が形成され、前記第４支持部、第５支持部及び第６支持部は、前記第１支持部、第２支持部及び第３支持部と対称となる位置にそれぞれが形成されていることを特徴とする請求項１又は２記載のゴルフクラブ用支持具。
【請求項４】
前記ゴルフクラブ用支持具は、上面及び下面それぞれを上方に向けて支持できるように構成されていることを特徴とする請求項３記載のゴルフクラブ用支持具。
【請求項５】
前記第１の支持棒及び第２の支持棒は、高さが異なることを特徴とする請求項１乃至４いずれか記載のゴルフクラブ用支持具。
【請求項６】
前記第１の支持棒及び第２の支持棒は、これら以外の支持棒より前記開口の両縁それぞれの近傍に配置されていることを特徴とする請求項１乃至５いずれか記載のゴルフクラブ用支持具。
【請求項７】
前記少なくとも３本の支持棒の先端は、Ｒ状又は尖状に形成されていることを特徴とする請求項１乃至６いずれか記載のゴルフクラブ用支持具。
【請求項８】
ヘッド部の基端側がＲ状に形成されたゴルフクラブを支持するゴルフクラブ用支持具において、
柱状に形成され、その周面に上端から下端に亘って開口が形成され、その開口から内部方向に向かってゴルフクラブのシャフトを案内可能な案内部が形成され、
少なくともその上面には、案内部の形状に沿った縁が上方に突出しており、
該縁は、ゴルフのウッドクラブのシャフトが案内部の最奥部に位置する際に、前記縁の開口の一方の縁に連続する部分である第１の支持部分が、ゴルフのウッドクラブのヘッド部のフェイス面を支持し、前記縁の開口の他方の縁に連続する部分である第２の支持部分が、ゴルフのウッドクラブのヘッド部の基端側側面を支持し、前記縁の第１及び第２の支持部分以外の部分である第３の支持部分が、ゴルフのウッドクラブのヘッド部の上面を支持するように形成され、第１の支持部分は、第２の支持部分よりも高く、第２の支持部分は、第３の支持部分よりも高く形成されていることを特徴とするゴルフクラブ用支持具。
【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
ウッドクラブ又はユーティリティーを支持するゴルフクラブ用支持具において、
柱状に形成され、その周面に上端から下端に亘って開口が形成され、その開口から内部方向に向かってゴルフクラブのシャフトを案内可能な案内部が形成され、
少なくともその上面には、ヘッド部のソール面が上を向いた状態でゴルフクラブが前記案内部の最奥部に位置する際に、ゴルフクラブのヘッド部のフェイス面を支持する第１支持部と、ゴルフクラブのヘッド部の基端側側面の斜め外側上方を向いた面を支持する第２支持部と、その上端によってゴルフクラブのヘッド部の上面を支持する第３支持部と、が形成され、
前記上面には、少なくとも３本の支持棒が上方に突出しており、
前記少なくとも３本の支持棒のうち、第１の支持棒が前記第１支持部として機能し、第２の支持棒が前記第２支持部として機能し、第１の支持棒及び第２の支持棒以外の支持棒が前記第３支持部として機能し、
前記第１の支持部及び第２の支持部の頂部の位置は、第３支持部の頂部よりも高いことを特徴とするゴルフクラブ用支持具。
【請求項２】
前記第１支持部の上端内側には、斜め内側上方を向いたテーパ面が形成され、該テーパ面によって前記フェイス面を支持するよう構成されていることを特徴とする請求項１記載のゴルフクラブ用支持具
【請求項３】
前記ゴルフクラブ用支持具は、上面及び下面それぞれを上方に向けて支持できるように構成されており、
前記ゴルフクラブ用支持具の下面には、該下面側を上方に向けた状態で前記ゴルフクラブ用支持具を設置し、ヘッド部のソール面が上を向いた状態でゴルフクラブが前記案内部の最奥部に位置する際に、ゴルフクラブのヘッド部のフェイス面を支持する第４支持部と、ゴルフクラブのヘッド部の基端側側面の斜め外側上方を向いた面を支持する第５支持部と、その上端によってゴルフクラブのヘッド部の上面を支持する第６支持部と、が形成され、前記第４支持部、第５支持部及び第６支持部は、前記第１支持部、第２支持部及び第３支持部と対称となる位置にそれぞれが形成されていることを特徴とする請求項１又は２記載のゴルフクラブ用支持具。
【請求項４】
前記第１の支持棒及び第２の支持棒は、高さが異なることを特徴とする請求項１乃至３いずれか記載のゴルフクラブ用支持具。
【請求項５】
前記第１の支持棒及び第２の支持棒は、これら以外の支持棒より前記開口の両縁それぞれの近傍に配置されていることを特徴とする請求項１又は２記載のゴルフクラブ用支持具。
【請求項６】
ウッドクラブ又はユーティリティーを支持するゴルフクラブ用支持具において、
柱状に形成され、その周面に上端から下端に亘って開口が形成され、その開口から内部方向に向かってゴルフクラブのシャフトを案内可能な案内部が形成され、
少なくともその上面には、案内部の形状に沿った縁が上方に突出しており、
該縁は、ゴルフのウッドクラブのシャフトが案内部の最奥部に位置する際に、前記縁の開口の一方の縁に連続する部分である第１の支持部分が、ゴルフのウッドクラブのヘッド部のフェイス面を支持し、前記縁の開口の他方の縁に連続する部分である第２の支持部分が、ゴルフのウッドクラブのヘッド部の基端側側面を支持し、前記縁の第１及び第２の支持部分以外の部分である第３の支持部分が、ゴルフのウッドクラブのヘッド部の上面を支持するように形成され、第１の支持部分は、第２の支持部分よりも高く、第２の支持部分は、第３の支持部分よりも高く形成されていることを特徴とするゴルフクラブ用支持具。
【国際調査報告】
2009113336.tif 000019
2009113336.tif 000020
2009113336.tif 000021